(57)【要約】      （修正有）【課題】ゲージ壁面の格子の孔の大きさに関わらず位置決めすることができ、ゲージ壁面を構成する桿体に当接することができ、軽量で小型な、ペットに水を与えるための水筒を提供する。【解決手段】内部に水を入れ、適宜な位置に注水管１３を設け、側面に凸部１４を設けてなる容器１０と、一側面が該容器の凸部に接続し、もう一方の側面に螺子を設けてなる接続板２０と、内螺子溝と接続板の螺子２３を螺合するとともに、接続板とともに、ゲージを挟持して位置決めする回転板３０とを具えてなり、容器の凸部には接続板に設けられた位置決め溝２２に対応して接続部材を設けて、位置決め溝は接続部材を嵌合するために供して容器の凸部に接続板を設け、ゲージ壁面の格子がどのようなサイズでも位置決めすることができる。【選択図】図４
0003118366.tif 000002
【実用新案登録請求の範囲】
【請求項１】
内部に水を入れ、適宜な位置に注水管を設け、側面に凸部を設けてなる容器と、
一側面が該容器の凸部に接続し、もう一方の側面に螺子を設けてなる接続板と、
内螺子溝と接続板の螺子を螺合するとともに、接続板とともに、ゲージを挟持して位置決めする回転板とを具えてなり、容器の凸部には接続板に設けられた位置決め溝に対応して接続部材を設けて、位置決め溝は接続部材を嵌合するために供して容器の凸部に接続板を設け、ゲージ壁面の格子がどのようなサイズでも位置決めすることができることを特徴とする水筒。
【請求項２】
前記容器の接続部材は、接続板の外周縁上に２つの対向する位置決め溝を具えてなるフレームを設けことを特徴とする請求項１に記載する水筒。
【請求項３】
前記接続板は、回転板に対向する側面にゲージの桿体に当接する格子状の凸点を設けることを特徴とする請求項１に記載する水筒。
【請求項４】
前記容器の凸部は、略中心に位置する部分の接続板に設けられた螺子の溝に対応するに突起を形成し、突起を溝に挿入して接続することを特徴とする請求項１に記載する水筒。
【請求項５】
前記注水管は、外壁と内部の管体との間に距離が設けられ、該距離を縮小することにより外径を縮小できることを特徴とする請求項１に記載する水筒。
【請求項６】
前記注水管は、内部にガイド桿を設け、水流をガイドし、且つ注水管と容器が接する内部の端縁部に当接部を設けて、ガイド桿を当接するために供し、ガイド溝が上方へ移動しすぎないように位置決めすることを特徴とする請求項１に記載する水筒。
【請求項７】
前記注水管は、先端部にキャップを設けて携帯時に水が漏れることを防ぐことを特徴とする請求項１に記載する水筒。
【考案の詳細な説明】
【技術分野】
【０００１】
この考案は、水筒に関し、特にペットに水を与えるための水筒に関する。
【背景技術】
【０００２】
従来のペットに水を与えるための水筒は、室内や屋外でペットを入れておくゲージなどに位置決めする場合、水筒の上下をゲージの壁面に嵌合する方法により位置決めする。しかしながら、ゲージの壁面が格子状を呈し、且つ、格子の孔が小さく、水筒の上下の長さが格子の孔よりも大きい場合には、ペットに水を与える管体が格子に阻まれるため、ゲージに水筒を位置決めすることが難しい。
【０００３】
図１、２に開示する台湾特許登録番号第０９１２１５７５２号の「ペットに水を与えるための水筒の位置決め構造」は、容器１と、該容器１のゲージ７に対向する側面に設けられ、Ｔ字状を呈するブロック体２と、該ブロック体２に接続する接続板３などを具えてなる。該接続板３は、容器に対向する側面にブロック体２を嵌合するための溝４を設け、ゲージ７に対向する側面にゲージ７に対して垂直に螺子５を設けてなり、内側に形成された螺子溝６に螺子５を螺合して接続板３でゲージ７を挟持する。よって、容器１がゲージ７に固定され、容器１の下方に設けられた注水管８によりペットに水を与えることができる。
【０００４】
容器１をゲージ７に位置決めする場合には、ペットに水を与える注水管８をゲージ７の格子を通過してゲージ７の内部に設けて、接続板３で容器１とゲージ７とを接続する。ブロック体２を接続板３の溝４内に上方から挿入して嵌合し、容器を上下に動かして接続板３の溝４に組み合わせるため、ゲージ７の壁面の格子の孔が大きくても接続することができる。
【０００５】
しかしながら、ゲージ７の壁面の格子の孔が小さい場合、容器１のブロック体２を上下に移動させると、水を与えるための注水管８が格子の孔に接触して、注水管８をゲージ７内に設けられず、ブロック体２を溝４内に挿入することが難しく、容器１と接続板３とを組み合わせることができない。
【０００６】
また、接続板３のゲージ７に対向する側面にゲージ７に対して垂直に突出してゲージ７側面に当接するように設けられた凸部９は、隣接する凸部９との幅がゲージ７壁面を形成する桿体の幅と合わないため、完全に当接させることができない。
【０００７】
さらに、容器１を携帯して外出する場合、移動の際の揺れなどにより注水管８から水が漏水するため、携帯に適していない。
【考案の開示】
【考案が解決しようとする課題】
【０００８】
この考案は、ゲージ壁面の格子の孔の大きさに関わらず位置決めすることができ、ゲージ壁面を構成する桿体に当接することができ、軽量で小型な、ペットに水を与えるための水筒を提供することにある。
【課題を解決するための手段】
【０００９】
そこで、本考案者は従来の技術に見られる欠点に鑑みて鋭意研究を重ねた結果、内部に水を入れ、適宜な位置に注水管を設け、側面に凸部を設けてなる容器と、一側面が該容器の凸部に接続し、もう一方の側面に螺子を設けてなる接続板と、内螺子溝と接続板の螺子を螺合するとともに、接続板とともに、ゲージを挟持して位置決めする回転板とを具えてなり、容器の凸部には接続板に設けられた位置決め溝に対応して接続部材を設けて、位置決め溝は接続部材を嵌合するために供して容器の凸部に接続板を設け、ゲージ壁面の格子がどのようなサイズでも位置決めできる構造によって本考案の課題を解決できる点に着眼し、かかる知見に基づいて本考案を完成させた。
【００１０】
以下、この考案について具体的に説明する。
請求項１に記載する内部に水を入れ、適宜な位置に注水管を設け、側面に凸部を設けてなる容器と、一側面が該容器の凸部に接続し、もう一方の側面に螺子を設けてなる接続板と、内螺子溝と接続板の螺子を螺合するとともに、接続板とともに、ゲージを挟持して位置決めする回転板とを具えてなり、容器の凸部には接続板に設けられた位置決め溝に対応して接続部材を設けて、位置決め溝は接続部材を嵌合するために供して容器の凸部に接続板を設け、ゲージ壁面の格子がどのようなサイズでも位置決めすることができる。
【００１１】
請求項２に記載する水筒は、請求項１における容器の接続部材が、接続板の外周縁上に２つの対向する位置決め溝を具えてなるフレームを設ける。
【００１２】
請求項３に記載する水筒は、請求項１における接続板が、回転板に対向する側面にゲージの桿体に当接する格子状の凸点を設ける。
【００１３】
請求項４に記載する水筒は、請求項１における容器の凸部が、略中心に位置する部分の接続板に設けられた螺子の溝に対応するに突起を形成し、突起を溝に挿入して接続する。
【００１４】
請求項５に記載する水筒は、請求項１における注水管が、外壁と内部の管体との間に距離が設けられ、該距離を縮小することにより外径を縮小できる。
【００１５】
請求項６に記載する水筒は、請求項１における注水管が、内部にガイド桿を設け、水流をガイドし、且つ注水管と容器が接する内部の端縁部に当接部を設けて、ガイド桿を当接するために供し、ガイド溝が上方へ移動しすぎないように位置決めする。
【００１６】
請求項７に記載する水筒は、請求項１における注水管が、先端部にキャップを設けて携帯時に水が漏れることを防ぐ。
【考案の効果】
【００１７】
この考案の水筒は、側面の格子の孔のサイズがどのような大きさでも位置決めすることができるという効果を有する。
【００１８】
また、考案の水筒は、注水管の先端にキャップを設けることができるため、携帯時に水が漏れることがない効果を有する。
【実施例】
【００１９】
図４から８に、この考案のペットに水を与えるための水筒を開示する。図面によると、水筒は容器１０と、接続板２０と、回転板３０などを含んでなる。該容器１０は中空で軽くて小さく、内部に水を入れて、上端にキャップ１１を設けた給水口を具え、下端の斜面に形成した注水口１２に注水管１３を設け、容器１０に対向する側面に凸部１４を設ける。該凸部１４は外周側辺の対向する両端に接続部材１５を設けてなり、該接続部材１５は外方向に向けた凸チップから形成し、凸部１４の略中心に位置する部分に突起１６を形成する。該接続板２０と容器１０の凸部１４とを組み合わせる場合、接続板２０の外周縁上に２つの対向する位置決め溝２２を具えてなるフレーム２１を設ける。該位置決め溝２２は、容器１０の接続部材１５を嵌合するために供し、接続板２０を容器１の凸部１４上に設ける。該接続板２０は回転板３０に対向する側面に螺子２３を設けてなる。該螺子２３は中空で内側に溝２４を形成する（図６参照）。容器１０の突起１６を溝２４の一端から挿入し、回転板３０に設けられた内螺子溝３１（図６参照）と接続板２０の螺子２３とを合わせて螺合して回転板３０と接続板２０によりペット用のゲージ４０（図６参照）上に容器１０を位置決めして挟持する。該接続板２０は回転板３０に対向する側面にゲージ４０の桿体４１に当接するように表面が格子状の凸点２５を形成する。該容器１０の注水管１３内にガイド桿１３１を設けて水流をガイドする。また、注水管１３と容器１０に接続する内部端縁部に当接部１３２（薄いため、水流を妨げることがない）を設けてガイド桿１３１を当接するために供し、ガイド桿１３１が上方へ移動しすぎないように位置決めする。さらに、注水管１３の外側と内部の管体との間に一定の距離１３３が設けられているため、注水管１３の外径を縮小して壁面の格子が小さいゲージ４０でも容器１０を設けることができる。該注水管１３は、先端内部に水漏れ防止体１３６を設け、先端部１３４にキャップ１３５を設けて携帯時に水が漏れることを防ぐ。
【００２０】
上述の構成を組み合わせる場合には、接続板２０と回転板３０とでゲージ４０を挟持してから回転板３０を回転させると、螺子２３が内螺子溝３１に螺合して回転板３０と接続板２０がゲージ４０上にしっかりと固定される。次に容器１０の注水管１３をゲージ４０壁面の格子の孔に入れて、注水管１３を傾けると、容器１０の凸部１４を接続板２０近くに設けることができ、凸部１４の接続部材１５を接続板２０の位置決め溝２２に嵌合させると同時に、凸部１４の突起１６が接続板２０の溝２４内に挿入する。
【００２１】
容器１０の凸部１４は接続板２０の側面に組み合わせるため、容器１０がゲージ４０に対向する側面に設けられ、ゲージ４０に位置決めするために容器１０や注水管１３を上下に移動させる必要がない。即ち、ゲージ４０の格子の孔が小さい場合でも、容器１０をゲージ４０に位置決めすることができる。図６に開示するこの考案の水筒と、図３に開示する従来の水筒と比べるとわかるように、従来の注水管８はゲージ７の格子の小さな孔に挿入した後、上下に移動させることができない。
【００２２】
しかしながらこの考案の水筒は、図３に開示するゲージ７と同じ大きさの格子の孔でも注水管１３を上下に移動させることなく水筒を位置決めすることができる。
【００２３】
接続板２０は、回転板３０に対向する側面に格子状の凸点２５を形成し、ゲージ４０の壁面を構成する桿体４１に当接するために供し、ゲージ４０壁面の格子の孔のサイズに関わらず使用することができ、ゲージ４０壁面を滑り落ちることがない。また、注水管１３は内側に外周と内部の管との間に距離１３３が形成されているため、外径を縮小することができる。よって、格子の孔が小さいゲージ４０でも横から挿入した後、斜めに傾けることができ、従来の水筒のように上下に移動させて位置決めするため、ゲージの格子の孔が小さいため位置決めできないという欠点を克服できる。
【００２４】
この考案の注水管１３は、内部にガイド桿１３１が設けられ、容器１０内部の水がガイド桿１３１に沿って流れ出てくるため、ペットが水を飲む場合に、水がスムーズに流れ出てくる。また、注水管１３の水筒に接する端縁部にはガイド桿１３１を当接し、ガイド桿１３１が容器１０の方向へ挿入され過ぎないようにするために供する当接部１３２が設けられ、ペットが水を飲む場合に、ガイド桿１３１が上下に移動する。また、注水管１３の先端部１３４にはキャップ１３５を設けるため、外出時に携帯する場合に、水が漏れることを防ぐ。また、容器１０のキャップ１３５にチェーンのようなものを付けて、容器１０を携帯する場合に使用してもよく、キャップ１３５をチェーン上に設けて、必要な場合に、キャップ１３５をチェーンから取り外して使用してもよい。
【００２５】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【００２６】
【図１】従来の水筒を示した平面図である。
【図２】図１に開示する水筒の溝とブロックを嵌合する場合を示した断面図である。
【図３】図１に開示する水筒を示した側面図である。
【図４】この考案の水筒を示した分解図である。
【図５】図４に開示する水筒の斜視図である。
【図６】図４に開示する水筒の垂直に切断した場合を示した側面図である。
【図７】図４に開示する水筒を水平に切断した場合を示した断面図である。
【図８】図４に開示する水筒の注水管にキャップを設けた場合の斜視図である。
【符号の説明】
【００２７】
１      容器
２      ブロック体
３      接続板
４      溝
５      螺子
６      螺子溝
７      ゲージ
８      注水管
９      凸部
１０    容器
１１    キャップ
１２    注水口
１３    注水管
１３１  ガイド桿
１３２  当接部
１３３  距離
１３４  先端部
１３５  キャップ
１３６  水漏れ防止体
１４    凸部
１５    接続部材
１６    突起
２０    接続板
２１    フレーム
２２    位置決め溝
２３    螺子
２４    溝
２５    凸点
３０    回転板
３１    内螺子溝
４０    ゲージ
４１    桿体
【図１】
0003118366.tif 000003
【図２】
0003118366.tif 000004
【図３】
0003118366.tif 000005
【図４】
0003118366.tif 000006
【図５】
0003118366.tif 000007
【図６】
0003118366.tif 000008
【図７】
0003118366.tif 000009
【図８】
0003118366.tif 000010